(57)【要約】【課題】  操作が簡易で、造形が個性的且つ施錠機能と装飾効果を兼備した南京錠を提供する。【解決手段】南京錠１０は収容部２６を含む基部、軸３２と数字ダイヤル３４と制動体３６とを含むダイヤル錠３０、軸３２の上端に接合する駆動体４０、基部２０の左右両側に位置し端部が嵌合・分離可能で軸回転可能な左係止杆５０と右係止杆６０、および軸３２に接合されストッパー部７８を含み基部内で第１の位置と第２の位置との間を移動する移動体７０を含む。軸３２は収容部２６の中で上下に移動する。数字ダイヤル３４は軸３２の移動を制御する。制動体３６は軸３２上に位置し数字ダイヤル３４と噛み合う。移動体７０が第１の位置にあるときストッパー部７８は左係止杆５０および右係止杆６０を固定し各係止杆は相互に嵌合し分離不可能となり、第２の位置にあるときストッパー部７８は左係止杆５０および右係止杆６０を開放し各係止杆は分離する。【選択図】図２
0003139387.tif 000002
【実用新案登録請求の範囲】
【請求項１】
収容部と前記収容部に繋がった孔とを有する基部と、
軸、複数個の数字ダイヤル、および複数個の制動体を有し、前記軸は軸方向に前記孔から前記収容部に向かって移動し、前記軸の上端は前記基部から突出し、前記各数字ダイヤルは前記軸上に設けられ且つ前記収容部の中に位置し且つ前記軸の移動を制御するのに用いられ、前記各制動体は前記軸上に設けられ且つ前記各数字ダイヤルと噛み合うダイヤル錠と、
前記ダイヤル錠の前記軸の上端に接合する駆動体と、
一方の端部が前記基部の左右側面に設けられ、他方の端部が取り外し可能に嵌合され、前記基部に相対して軸回転可能な二つの係止杆と、
少なくとも一つのストッパー部を有し、前記基部に移動可能に設けられ、前記軸に接合し、前記軸の動きを受け第１の位置と第２の位置との間を移動し、前記第１の位置にあるとき前記ストッパー部は軸回転可能な前記係止杆を固定し前記二つの係止杆の相互に嵌合している端部は分離せず、前記第２の位置にあるとき前記ストッパー部は軸回転可能な前記係止杆を固定せず前記二つの係止杆の相互に嵌合している端部は分離する移動体と、
を備えることを特徴とする南京錠。
【請求項２】
前記移動体は突起部を有し、
前記ダイヤル錠の軸は凹部を有し、
前記移動体の前記突起部は前記軸の前記凹部に嵌合し、前記軸により前記移動体が移動することを特徴とする請求項１に記載の南京錠。
【請求項３】
前記移動体は、前記突起部に隣接する凹溝を少なくとも一つをさらに有し、
前記ストッパー部は、前記移動体の両端部から前記突起部と同じ方向に突起し、
軸回転可能な前記係止杆の一方の端部は回転軸接合部を有し、
前記回転軸接合部は、前記移動体の前記凹溝の中に位置し前記ストッパー部により位置決めされることを特徴とする請求項２に記載の南京錠。
【請求項４】
前記移動体の前記凹溝と前記ストッパー部とはいずれも二つ存在し、
前記突起部は、前記二つの凹溝の間に位置し、
前記各ストッパー部は、前記移動体の両端部から前記突起部と同じ方向に突起且つ相対し、
前記二つの係止杆の一方の端部はそれぞれ前記回転軸接合部を有し、
前記各回転軸接合部は、前記移動体の前記各凹溝の中に位置し前記各ストッパー部により位置決めされることを特徴とする請求項３に記載の南京錠。
【請求項５】
前記移動体に設けられた位置決め機構をさらに有し、
前記基部はさらに二つの位置決め溝を有し、前記移動体が前記第１の位置にあるとき前記位置決め機構は一方の前記位置決め溝に位置し、前記移動体が前記第２の位置にあるとき前記位置決め機構は他方の前記位置決め溝に位置することを特徴とする請求項１に記載の南京錠。
【請求項６】
前記位置決め機構は、ストッパーとばねとを有し、
前記ストッパーは、前記基部の前記位置決め溝に設けられ、
前記ばねの両端は、前記ストッパーと前記移動体とをそれぞれ制動することを特徴とする請求項５に記載の南京錠。
【請求項７】
前記二つの係止杆のうち、一方の係止杆は端部に突起部を有し、他方の係止杆は端部に凹部を有し、前記突起部と前記凹部とは互いに嵌合あるいは分離することを特徴とする請求項１に記載の南京錠。
【請求項８】
前記基部は少なくとも一つの摺動レールを有し、前記移動体は少なくとも一つの摺動溝を有し、前記移動体の前記摺動溝は前記基部の前記摺動レールに嵌合し、前記移動体は前記基部と摺動することを特徴とする請求項１に記載の南京錠。
【請求項９】
前記基部の前記摺動レールと前記移動体の前記摺動溝とはいずれも二つであることを特徴とする請求項８に記載の南京錠。
【考案の詳細な説明】
【技術分野】
【０００１】
本考案は南京錠に関し、詳細には、施錠機能と装飾効果を兼備した南京錠に関する。
【背景技術】
【０００２】
従来の南京錠の多くは、キーを用いて解錠するキー式錠前、あるいは暗証番号を用いて解錠するダイヤル式錠前に分けられる。キー式錠前の場合、キーをキー孔に挿入し回転させることにより、解錠することができる。ダイヤル式錠前の場合、暗証番号を正確に入力することにより、解錠することができる。
しかし、キー式錠前あるいはダイヤル式錠前のいずれも、その外観は単一的で個性に乏しく、外観を特別な造形のものとする場合、係止杆の存在が全体の造形に影響を与えているという問題がある。
【考案の開示】
【考案が解決しようとする課題】
【０００３】
本考案の目的は、操作が簡易で、造形が個性的且つ施錠機能と装飾効果を兼備する南京錠を提供することにある。
【課題を解決するための手段】
【０００４】
請求項１記載の考案では、上述の課題を解決するため、南京錠は基部、ダイヤル錠、駆動体、二つの係止杆、および移動体を有する。基部は収容部と収容部に通ずる孔を有する。ダイヤル錠は軸、複数個の数字ダイヤル、および複数個の制動体を有する。軸は収容部の中で軸方向に移動し、軸の上端は基部の孔から露出する。数字ダイヤルは軸を中心に設けられ、収容部の中に位置し、軸の移動を制御する。制動体は軸を中心に設けられ、数字ダイヤルと噛み合う。駆動体はダイヤル錠の軸の上端と接合する。二つの係止杆の各一方の端部は基部の左右両側に設けられ、他方の端部は取り外し可能に嵌合され、うち一つの係止杆は基部に相対し軸回転可能である。移動体は少なくとも一つのストッパー部を有し、移動体は基部の中で移動し且つ軸に接合され、第１の位置と第２の位置の間を移動する。移動体が第１の位置にあるとき、ストッパー部は軸回転可能な係止杆を固定し、二つの係止杆は相互に嵌合し分離不可能となる。移動体が第２の位置にあるとき、ストッパー部は軸回転可能な係止杆を開放し、二つの係止杆の相互に嵌合した端部は分離する。
【考案を実施するための最良の形態】
【０００５】
（一実施形態）
以下、本考案の一実施形態による南京錠を、図面に基づいて説明する。
図１および図２に示すように、南京錠１０は、基部２０、ダイヤル錠３０、駆動体４０、左係止杆５０、右係止杆６０、移動体７０、および位置決め機構８０を含む。
【０００６】
基部２０は、前部カバー２２と後部カバー２４が相互に接合し形成される。前部カバー２２と後部カバー２４との間には収容部２６が形成される。前部カバー２２および後部カバー２４は、それぞれ三つの貫通した表示孔２８を有する。後部カバー２４は、上面に孔２４１を有する。図４および図６に示すように、後部カバー２４は内部に、二つの摺動レール２４２の間に位置する第1の位置決め溝２４４と、第1の位置決め溝２４４の上方に位置する第２の位置決め溝２４６を有する。後部カバー２４は、左右両側にそれぞれ左回転軸孔２４８および右回転軸孔２４９を有する。
【０００７】
ダイヤル錠３０は、軸３２、三つの数字ダイヤル３４、および三つの制動体３６を有する。軸３２は基部２０の孔２４１から収容部２６の中に挿入され、軸３２の上端は基部２０から露出している。軸３２は、凹部３２２を有する。各数字ダイヤル３４は、軸３２上に設けられ、基部２０の収容部２６の中に位置し、後部カバー２４の表示孔２８から一部分が露出する。各制動体３６は、軸３２上に設けられ、各数字ダイヤル３４と噛み合う。各数字ダイヤル３４により正しい解錠番号が設定されたとき、軸３２は軸方向に移動し、各数字ダイヤル３４により誤った解錠番号が設定されたとき、軸３２は各制動体３６により移動が制限され軸方向に移動不可能となる。
【０００８】
駆動体４０は、二つの側板４２がダイヤル錠３０の軸３２の上端を挟み込むことによって形成され、軸３２が移動することにより軸３２とともに軸３２の軸方向に移動する。一つの側板４２の前面には装飾板４４が装着され、南京錠１０の象徴的部分となる。
【０００９】
左係止杆５０の上端は突起部５２を有し、下端は左回転軸５４、および左回転軸５４に繋がる左回転軸接合部５６を有している。左回転軸５４は、基部２０の後部カバー２４に設けられた左回転軸孔２４８に軸回転可能に接する。
【００１０】
右係止杆６０の上端は左係止杆５０の突起部５２が嵌合する凹部６２を有し、下端は右回転軸６４、および右回転軸６４に繋がる右回転軸接合部６６を有している。右回転軸６４は、基部２０の後部カバー２４に設けられた右回転軸孔２４９に軸回転可能に接する。
【００１１】
移動体７０は、背面に二つの摺動溝７２を有し、後部カバー２４の摺動レール２４２が嵌合し、移動体７０は基部２０と相対し上下に移動できる。移動体７０は、前面に二つの凹溝７４を有し、且つ左係止杆５０の左回転軸接合部５６および右係止杆６０の右回転軸接合部６６に対応する二つの凹溝７４の間に突起部７６を有し、且つ両端部にストッパー部７８を有する。突起部７６は、軸３２の凹部３２２に嵌合する。
【００１２】
図４および図６に示すように、軸３２は、移動体７０を第1の位置決め溝２４４および第2の位置決め溝２４６の間を上下に移動させることができる。図３および図4に示すように、移動体７０が第1の位置決め溝２４４の位置にあるとき、左係止杆５０の左回転軸接合部５６および右係止杆６０の右回転軸接合部６６はいずれも移動体７０のストッパー部７８により固定され移動不可能となり、左係止杆５０および右係止杆６０は相対的に軸回転不可能となる。
【００１３】
図５および図6に示すように、移動体７０が第２の位置決め溝２４６の位置にあるとき、移動体７０のストッパー部７８は左係止杆５０の左回転軸接合部５６および右係止杆６０の右回転軸接合部６６から離れ、左係止杆５０および右係止杆６０は外力を受け外側に向かって引き動かされることにより左係止杆５０の突起部５２と右係止杆６０の凹部６２が分離し、左係止杆５０および右係止杆６０は相対的に軸回転可能となる。
【００１４】
位置決め機構８０は、ストッパー８２、およびストッパー８２と移動体７０とに両端が接触したばね８４を有する。ストッパー８２は、球状を呈し例えば鋼材などからなる。ストッパー８２は、移動体７０が移動し基部２０の第1の位置決め溝２４４あるいは第２の位置決め溝２４６に位置したとき、移動体７０を第1の位置あるいは第2の位置に位置決めする。
【００１５】
上記の構造により、使用者は本考案の一実施形態による南京錠をある物品に装着する際、まずダイヤル錠３０の数字ダイヤル３４を正確な解錠番号に設定する。次に図5および図６に示すように駆動体４０を上方に向かって引き上げると、駆動体４０はダイヤル錠３０の軸３２とともに上方に向かって移動する。このとき、移動体７０の突起部７６と軸３２の凹部３２２とが嵌合しているため、移動体７０は軸３２と共に上方に向かって移動する。
【００１６】
これにより、位置決め機構８０のストッパー８２は基部２０の第2の位置決め溝２４６に位置決めされ、移動体７０は第2の位置に位置決めされる。その結果、移動体７０のストッパー部７８は、左係止杆５０の左回転軸接合部５６および右係止杆６０の右回転軸接合部６６を開放する。このとき、図７に示すように、使用者は左係止杆５０を左に向かって、右係止杆６０を右に向かって引き動かすことにより左係止杆５０の突起部５２と右係止杆６０の凹部６２が分離する。
【００１７】
図８に示すように、南京錠１０の左係止杆５０および右係止杆６０をロックしたい物品に通し、左係止杆５０および右係止杆６０を回転させ、左係止杆５０の突起部５２を右係止杆６０の凹部６２に嵌合させ、駆動体４０を押し下げると、軸３２と移動体７０は同時に下側に向かって移動し、位置決め機構８０のストッパー８２を通過し、図3および図4に示すように、移動体７０は第1の位置に位置決めされる。最後にダイヤル錠３０の数字ダイヤル３４を解錠番号以外の番号に設定する。
【００１８】
このとき、軸３２は軸方向に移動不可能となり、移動体７０のストッパー部７８は左係止杆５０の左回転軸接合部５６および右係止杆６０の右回転軸接合部６６が外側に向かって引き動かされることを阻止する。これにより、本考案の一実施形態による南京錠１０はロック状態となり、使用者は施錠したい物品を施錠することができる。
【００１９】
上記の通り、使用者は駆動体４０を引き上げ、左係止杆５０および右係止杆６０を回転させるだけで、本考案の一実施形態による南京錠１０は、ドア、たんす、リュックサック、あるいはスーツケースをロックし、施錠機能を提供することができる。また、操作は簡易で、使用範囲も極めて広い。さらに南京錠１０のデザインはロボットの外観に類似する。基部２０はロボットの胴体、駆動体４０はロボットの頭部、左係止杆５０および右係止杆６０はロボットの両腕に類似し、南京錠１０は物品上に使用した際、特殊な装飾効果を提供する。さらに使用者は自身の好みにあわせて南京錠１０の基部２０、駆動体４０、左係止杆５０、あるいは右係止杆６０を着色、あるいは装飾物を装着することができ、南京錠１０はいっそう変化に富んだ艶やかなものとなる。
【００２０】
（他の実施形態）
本考案の南京錠の構造は、さらに変化に富んだものでもよい。たとえば左係止杆および右係止杆の両者は必ずしも基部に軸回転可能に接する必要はなく、一方が基部に軸回転可能に接すればよい。移動体のストッパー部は軸回転可能な係止杆と同一側に設けられればよく、移動体が第２の位置にあるとき、使用者は軸回転可能な係止杆を外側に向かって引き動かし回転させることにより、左右の係止杆の突起部と凹部を分離できれば解錠可能となる。
【図面の簡単な説明】
【００２１】
【図１】本考案の一実施形態による南京錠を示す斜視図である。
【図２】本考案の一実施形態による南京錠を示す立体分解図である。
【図３】本考案の一実施形態による南京錠の基部を示す断面図であり、移動体が第１の位置にある状態を示す。
【図４】図３の４−４線による断面図である。
【図５】本考案の一実施形態による南京錠の基部を示す断面図であり、移動体が第２の位置にある状態を示す。
【図６】図５の６−６線による断面図である。
【図７】本考案の一実施形態による南京錠を示す正面図であり、左係止杆および右係止杆が分離した状態を示す。
【図８】本考案の一実施形態による南京錠を示す側面図であり、左係止杆および右係止杆が軸回転した状態を示す。
【符号の説明】
【００２２】
１０：南京錠、２０：基部、２２：前部カバー、２４：後部カバー、２４１：孔、２４２：摺動レール、２４４：第1の位置決め溝、２４６：第２の位置決め溝、２４８：左回転軸孔、２４９：右回転軸孔、２６：収容部、２８：表示孔、３０：ダイヤル錠、３２：軸、３２２：凹部、３４：数字ダイヤル、３６：制動体、４０：駆動体、４２：側板、４４：装飾板、５０：左係止杆、５２：突起部、５４：左回転軸、５６：左回転軸接合部、６０：右係止杆、６２：凹部、６４：右回転軸、６６：右回転軸接合部、７０：移動体、７２：摺動溝、７４：凹溝、７６：突起部、７８：ストッパー部、８０：位置決め機構、８２：ストッパー、８４：ばね
【図１】
0003139387.tif 000003
【図２】
0003139387.tif 000004
【図３】
0003139387.tif 000005
【図４】
0003139387.tif 000006
【図５】
0003139387.tif 000007
【図６】
0003139387.tif 000008
【図７】
0003139387.tif 000009
【図８】
0003139387.tif 000010